(57)【要約】【課題】表示画像に繋がりを持たせた見やすいスライドショーを再生できる再生情報ファイルを生成するための再生情報ファイル生成プログラムの提供。【解決手段】コンピュータを、コンピュータ機器では、先に表示される静止画像ファイル又は動画ファイルの画像上に、後に表示される静止画像ファイル又は動画ファイルの画像が重ねて合成された合成画像が表示されるようにアプリケーションを制御し、画像再生機器では、先に表示される静止画像ファイル又は動画ファイルから生成される先フレーム画像上に、後に表示される静止画像ファイル又は動画ファイルから生成される後フレーム画像が重ねて合成された合成フレーム画像を作成するための再生情報ファイルを生成する手段として機能させるものであり、再生情報ファイルにより、表示画像に繋がりを持たせた一体感のあるスライドショーを再生可能とする。【選択図】図６
2004343472.tif 000002
【特許請求の範囲】
【請求項１】
コンピュータを、入力された静止画像ファイル又は動画ファイルに基づき、単位時間当たり所定枚数のフレーム画像を表示する表示手段に、画像を表示させるための再生情報ファイルを生成する手段として機能させる再生情報ファイル生成プログラムにおいて、
前記表示手段に先に表示される画像の基となる静止画像ファイル又は動画ファイルから生成される先フレーム画像のデータと、後に表示される画像の基となる静止画像ファイル又は動画ファイルから生成される後フレーム画像のデータとに基づき、前記先フレーム画像の上に前記後フレーム画像が重ねて合成された合成フレーム画像のデータを生成することを特徴とする再生情報ファイル生成プログラム。
【請求項２】
コンピュータを、入力された静止画像ファイル又は動画ファイルに基づき、表示手段に画像を表示させるための再生情報ファイルを生成する手段として機能させる再生情報ファイル生成プログラムにおいて、
前記表示手段に先に表示される静止画像ファイル又は動画ファイルの画像上に、後に表示される静止画像ファイル又は動画ファイルの画像が重ねて合成された合成画像が表示されるように再生情報ファイルが生成されることを特徴とする再生情報ファイル生成プログラム。
【請求項３】
前記表示手段に先に表示される静止画像ファイル又は動画ファイルの画像解像度と、後に表示される静止画像ファイル又は動画ファイルの画像解像度とが取得され、該画像解像度を参照して、重ねて合成される画像の表示サイズ又は表示位置が算出されることを特徴とする請求項１又は２に記載の再生情報ファイル生成プログラム。
【発明の詳細な説明】
【０００１】
【発明の属する技術分野】
本発明は、パソコン等のコンピュータ機器やＤＶＤプレーヤー、ＤＶＤレコーダー等の画像再生機器でスライドショーを再生するための再生情報ファイルを生成する再生情報ファイル生成プログラムに関する。
【０００２】
【従来の技術】
近年、写真画像に関する様々なサービスが提供されている。例えば、フィルムカメラで撮影した写真画像の場合は、ラボ等のフォトサービス店舗やコンビニエンスストア等の注文店舗にユーザが撮影したネガフィルムを持ち込むと、フォトサービス店舗では、ネガフィルムを現像した後、スキャナ等で写真画像を読み取り、読み取った静止画像ファイルをＣＤ−Ｒ等の記録媒体に書き込んでユーザに提供するサービスが行われている。また、デジタルカメラで撮影した写真画像の場合も、デジタルカメラやデジタルカメラ用の記録媒体に記録された静止画像ファイルをＣＤ−Ｒ等の記録媒体にバックアップするサービスが行われている（例えば、特開平５−１８２３７３号公報等）。
【０００３】
このようなサービスを利用することにより、ユーザはパソコン等のコンピュータ機器で写真画像を再生することができる。また、静止画像ファイルや動画ファイルを記録媒体に書き込むことにより、スライドショーソフトを用いてこれらのデータをスライドショーとして表示する等の様々な処理を行うことができる。
【０００４】
【特許文献１】
特開平５−１８２３７３号公報（第４−６頁、第３図）
【０００５】
【発明が解決しようとする課題】
ＣＤ−Ｒ等の記録媒体に記録されているスライドショーソフトを用いて、静止画像ファイルと動画ファイルとを混在させてスライドショーを実行する場合、静止画像ファイルに基づく画像と動画ファイルに基づく画像の表示サイズが統一されていないため見栄えが悪く、特に、表示サイズの大きい静止画像ファイルの後に表示サイズの小さい動画ファイルが再生される場合などでは画像が表示されない余白部分が目立ってしまい、一体感のあるスライドショーを再生することができないという問題がある。
【０００６】
また、近年、ＤＶＤプレーヤーやＤＶＤレコーダーのような機器（以下、ＤＶＤ等を記録媒体として用いる機器を画像再生機器と呼ぶ。）が販売されており、画像再生機器は一般の家電製品と同様に簡単な操作で画像や音声を再生することができ、かつ、画像を高精細に再生することができることから広く普及している。そこで、静止画像ファイルや動画ファイルを画像再生機器用に変換して記録媒体に書き込みことにより画像再生機器でもスライドショーを再生することはできるが、この場合でも、画像ファイルの表示を制御しないと表示サイズの異なる画像ファイルが次々に再生され、表示サイズの小さい動画ファイルが再生される場合には画像が表示されない余白部分が目立ってしまい、一体感のあるスライドショーを再生することができない。
【０００７】
本発明は、上記問題点に鑑みてなされたものであって、その主たる目的は、パソコン等のコンピュータ機器でもＤＶＤプレーヤー、ＤＶＤレコーダーのような画像再生機器でも、表示画像に繋がりを持たせた一体感のあるスライドショーを再生できる再生情報ファイルを生成するための再生情報ファイル生成プログラムを提供することにある。
【０００８】
【課題を解決するための手段】
上記目的を達成するため、本発明の再生情報ファイル生成プログラムは、コンピュータを、入力された静止画像ファイル又は動画ファイルに基づき、単位時間当たり所定枚数のフレーム画像を表示する表示手段に、画像を表示させるための再生情報ファイルを生成する手段として機能させる再生情報ファイル生成プログラムにおいて、前記表示手段に先に表示される画像の基となる静止画像ファイル又は動画ファイルから生成される先フレーム画像のデータと、後に表示される画像の基となる静止画像ファイル又は動画ファイルから生成される後フレーム画像のデータとに基づき、前記先フレーム画像の上に前記後フレーム画像が重ねて合成された合成フレーム画像のデータを生成するものである。
【０００９】
また、本発明の再生情報ファイル生成プログラムは、コンピュータを、入力された静止画像ファイル又は動画ファイルに基づき、表示手段に画像を表示させるための再生情報ファイルを生成する手段として機能させる再生情報ファイル生成プログラムにおいて、前記表示手段に先に表示される静止画像ファイル又は動画ファイルの画像上に、後に表示される静止画像ファイル又は動画ファイルの画像が重ねて合成された合成画像が表示されるように再生情報ファイルが生成されるものである。
【００１０】
本発明においては、前記表示手段に先に表示される静止画像ファイル又は動画ファイルの画像解像度と、後に表示される静止画像ファイル又は動画ファイルの画像解像度とが取得され、該画像解像度を参照して、重ねて合成される画像の表示サイズ又は表示位置が算出される構成とすることができる。
【００１１】
このように、本発明の構成によれば、コンピュータ機器では再生情報ファイルによって、先に表示される静止画像ファイル又は動画ファイルの画像上に、後に表示される静止画像ファイル又は動画ファイルの画像が重ねて合成された合成画像が表示されるようにアプリケーションが制御され、画像再生機器では再生情報ファイルによって、先に表示される静止画像ファイル又は動画ファイルから生成される先フレーム画像上に、後に表示される静止画像ファイル又は動画ファイルから生成される後フレーム画像が重ねて合成された合成フレーム画像が記録されて表示されるため、いずれの機器を用いても表示画像に繋がりを持った一体感のあるスライドショーを再生することができる。
【００１２】
【発明の実施の形態】
従来技術で示したように、フィルムカメラやデジタルカメラで撮影した画像データをＣＤ−Ｒ等の記録媒体に記録するサービスを利用して静止画像ファイルを記録する際に動画ファイルを記録し、スライドショーソフトを用いて再生することにより、ユーザはパソコン上でスライドショーを再生することができる。また、これらのデータを画像再生機器で再生できる形式で記録することにより、画像再生機器上でも同様のスライドショーを再生することができる。
【００１３】
しかしながら、静止画像ファイルに基づく画像や動画ファイルに基づく画像が単に順番に表示されるため、例えば、表示サイズの異なる静止画像ファイルや動画ファイルが混在した状態でスライドショーを再生する場合は見栄えが悪く、特に、表示サイズの大きい静止画像ファイルの後に表示サイズの小さい動画ファイルを再生する場合などでは、画像が表示されない余白部分が目立ってしまうため、画像に繋がりのないスライドショーとなってしまう。
【００１４】
そこで、本発明では、再生情報ファイル生成プログラムにより、コンピュータ機器では、先に表示される静止画像ファイル又は動画ファイルの画像上に、後に表示される静止画像ファイル又は動画ファイルの画像が重ねて合成された合成画像が表示されるようにアプリケーションを制御し、画像再生機器では、先に表示される静止画像ファイル又は動画ファイルから生成される先フレーム画像上に、後に表示される静止画像ファイル又は動画ファイルから生成される後フレーム画像が重ねて合成された合成フレーム画像を作成するための再生情報ファイルを作成することにより、表示画像に繋がりを持たせた一体感のあるスライドショーを再生できるようにしている。
【００１５】
【実施例】
上記した本発明の実施の形態についてさらに詳細に説明すべく、本発明の一実施例に係る再生情報ファイル生成プログラムついて、図１乃至図９を参照して説明する。図１及び図２は、本発明の一実施例に係る入力データ記録装置の構成を模式的に示す図であり、図３は、入力データ記録装置の機能を示すブロック図である。また、図４は、入力データの記録手順を示すフローチャート図であり、図５は、入力データ記録装置に表示されるスライドショー編集画面の構成を示す図である。また、図６及び図７は、スライドショーの再生手順を模式的に示す図であり、図８は、記録媒体のフォルダ構成を示す図、図９は、記録媒体におけるデータの記録領域を示す図である。本発明は、画像と楽曲音声との整合がとれた音楽付きスライドショーを再生するための再生情報ファイルを生成するプログラムに関するが、以下では理解を容易にするために、再生情報ファイル生成プログラムがインストールされた入力データ記録装置全体について記載する。
【００１６】
なお、本明細書で使用する「静止画像ファイル」とは、１枚の独立した画像データを意味し、全ての画素のデータがそのまま書かれているものや、冗長度を省いて圧縮したデータとして書かれているもの、楽曲音声ファイルを含むもの、楽曲音声ファイルのリンク情報を記載されたものなどを含む。例えば、パソコン等のコンピュータ機器で表示可能な形式としてはＪＰＥＧ方式で圧縮されたものが一般的であり、ＤＶＤプレーヤー等の画像再生機器で再生可能な形式としてＶｉｄｅｏ−ＣＤ形式やＤＶＤ−Ｖｉｄｅｏ形式などがあるが、他の方式で圧縮されたファイルや圧縮されていないファイルであってもよい。
【００１７】
また、「動画ファイル」とは、ある一定時間間隔で画像を切り変えて表示するためのデータを意味し、静止画像データを基に作成されたファイルも含む。例えば、ＭＰＥＧなどのファイルは、基準となる画像のデータは独立したデータとして書かれ、それ以降は基準画像との差分だけが記録されるものであり、基準画像としての静止画像ファイルに差分０のデータを記録すれば静止画像ファイルから動画ファイルが作成される。
【００１８】
また、「スライドショー」とは、一般にスライド（静止画像ファイル）が連続的に表示されるものを言うが、本明細書では、静止画像ファイルのスライド表示に混在して動画ファイルが表示されるものや、静止画像ファイルに基づいて作成された動画ファイルを含む複数の動画ファイルが連続して再生されるものもスライドショーと呼ぶものとする。
【００１９】
まず、本発明の一実施例に係る入力データ記録装置の構成について、図１を参照して説明する。本実施例の入力データ記録装置１は、スマートメディア、コンパクトフラッシュ（登録商標）、メモリースティック（登録商標）、ＳＤメモリーカード、マルチメディアカードなどのファイル（静止画像ファイル又は動画ファイル、楽曲音声ファイル）が記録された記録媒体（以下、入力用メディア１３と呼ぶ。）を装填する入力用メディア装填部２ａ、写真フィルムをスキャンして得られた画像ファイルなどが記録された入力用記録媒体１４を装填する入力用記録媒体装填部２ｂ、デジタルカメラ１５やカメラ付き携帯電話機１６等の撮影機器（以下、カメラ機能を備えたデジタル機器を撮影機器と呼ぶ。）から有線又は無線、赤外線等によって画像ファイルを読み取るための機器接続部３、必要に応じて、通信ネットワーク１９を介して他のコンピュータ機器やサーバ１８と接続するためのネットワーク接続部等のデータ入力手段と、これらの記録媒体や撮影機器から読み取ったファイルを記録するＣＤ−ＲやＤＶＤ−Ｒ等の出力用記録媒体１７を装填する出力用記録媒体装填部４と、スライドショーの設定等の操作を行う操作部６及び表示部５とを備えている。
【００２０】
また、入力データ記録装置１の機能をブロック図で示すと図３のようになる。すなわち、入力用メディア装填部２ａ、入力用記録媒体装填部２ｂ、機器接続部部３、ネットワーク接続部等を用いてコンピュータ機器２０で再生可能な静止画像ファイルや動画ファイル、楽曲音声ファイル等を入力するデータ入力手段７と、表示部５や操作部６を用いて、入力した静止画像ファイルや動画ファイル、楽曲音声ファイルを用いて音楽付きスライドショーとして表示するための編集等を行うデータ編集手段８と、音楽付きスライドショーをパソコン等のコンピュータ機器２０及びＤＶＤプレーヤー等の画像再生機器２１で再生するためのデータ変換や再生情報ファイルを生成するデータ作成手段９と、各種ファイルやアプリケーション、コンテンツ等を、コンピュータ機器２０及び画像再生機器２１の双方で再生できるように記録順序を制御するデータ転送手段１０と、データ転送手段１０によって転送されたデータを出力用記録媒体１７に書き込むデータ記録手段１１と、音楽付きスライドショーを再生するためのスライドショープログラムや再生情報ファイル生成プログラム等を記憶するデータ記憶手段１２とを備えている。
【００２１】
また、データ作成手段９には、入力された静止画像ファイルを基に動画ファイルを生成する動画ファイル作成手段９ａと、スライド表示順、スライド間隔、スライド効果、楽曲音声ファイルの指定、先の画像ファイルに基づく画像と後の画像ファイルに基づく画像とを重ねて合成するための情報等を含む再生情報ファイルを作成する再生情報ファイル作成手段９ｂとを備え、再生情報ファイル作成手段９ｂには、先の画像ファイルと後の画像ファイルの画像解像度をチェックする画像解像度チェック手段９ｃと、各々の画像解像度を参照して後の画像ファイルの表示サイズや表示位置を算出し、画像の重ねて合成するための情報を作成する合成情報作成手段９ｄとを備えている。
【００２２】
なお、図１では卓上型の入力データ記録装置１を記載しているが、入力データ記録装置１の形態は任意であり、例えば、図２に示すようにコンビニエンスストア等に設置可能なキオスク型の装置としてもよい。また、本実施例では入力データ記録装置１を単体で動作する装置として記載しているが、例えば、ネガフィルムを現像する装置や現像済みの写真フィルムをスキャンして画像情報を読み取る装置等と合体した装置としてもよい。
【００２３】
上記構成の入力データ記録装置１を用いて、データを入力してから出力用記録媒体１７にデータが記録されるまでの手順について、図４のフローチャート図を参照して説明する。
【００２４】
まず、ステップＳ１０１において、入力データ記録装置１の入力メディア装填部２ａや入力用記録媒体装填部２ｂにデータが書き込まれた入力用メディア１３やＣＤ−Ｒ等の入力記録媒体１４を装填したり、機器接続部３にデジタルカメラ１５やカメラ付き携帯電話機１６等の撮影機器を接続したり、ネットワーク接続部を用いて通信ネットワーク１９を介して他のコンピュータ機器やサーバ１８に接続する等の各種方法により、データ入力手段７を用いて所望のデータを入力する。
【００２５】
ここで、入力するデータには、静止画像ファイルと、静止画像ファイルをスライドショーとして表示する際に再生される楽曲音声ファイルと、動画ファイルとを含む構成としているが、静止画像ファイル又は動画ファイルを複数含んでいればよく、楽曲音声ファイルは必ずしも必要ない。また、静止画像ファイル中に楽曲音声情報を含む場合や予めデータ記憶手段１２に記憶された楽曲音声ファイルを使用する場合は楽曲音声ファイルを省略してもよい。また、動画ファイルとして静止画像ファイルから作成された動画ファイルのみを用いる場合は、動画ファイルを省略することもできる。
【００２６】
次に、ステップＳ１０２で、データ編集手段８を用いて、入力されたデータを音楽付きスライドショーとして再生するための各種設定を行う。具体的には、図６に示すようなスライドショー編集画面２２を表示部５に表示し、操作部６を用いて設定する。このスライドショー編集画面２２には、データ入力手段７で取り込んだ静止画像ファイルや動画ファイルの基準画像を縮小したサムネイル画像２３、２４を表示する画像表示欄２２ａと、スライドショーの画像表示に関する設定を行うスライドショー設定欄２２ｂと、静止画像ファイルと共に再生する楽曲音声ファイルに関する設定を行うＢＧＭ設定欄２２ｃと、設定したスライドショーを確認しコンピュータ機器２０や画像再生機器２１への書き込みを指示するボタンが設けられたスライドショー記録指示欄２２ｄとが設けられている。
【００２７】
そしてユーザは、操作部６を用いて、画像表示欄２２ａに表示されたデータの中からスライドショーとして表示するデータを選択し、スライドショー設定欄２２ｂでスライド切替効果（例えば、ランダムに表示するか選択順に表示するか等の設定）、一連のデータを表示したらスライドショーを終了するか繰り返し再生するかの選択、スライドの表示間隔の設定等を行い、ＢＧＭ設定欄２２ｃで静止画像ファイルを表示する際に再生する楽曲音声ファイルの選択、楽曲音声ファイルを１回のみ再生するか繰り返し再生するかの選択を行う。そして、スライドショー記録指示欄２２ｄで選択したデータの確認、並び替えを行い、必要に応じて選択した画像に対して音声を入力したり編集したスライドショーを再生して内容を確認し、ＰＣ用書き込みボタン又はＤＶＤプレーヤー用書き込みボタンをクリックして各々の機器用のデータの記録を指示する。
【００２８】
次に、コンピュータ機器２０用のデータを作成する場合は、ステップＳ１０３で画像解像度チェック手段９ｃを用いて、各々の静止画像ファイルや動画ファイルの画像解像度をチェックし、ステップＳ１０４で、合成情報作成手段９ｄを用いて、先に表示される静止画像ファイル又は動画ファイルの画像解像度と後に表示される静止画像ファイル又は動画ファイルの画像解像度とを参照して、後に表示される画像ファイルの表示サイズ及び表示位置を算出して画像を重ねて合成するための合成情報を作成する。
【００２９】
上記表示サイズに関しては、例えば、各々の画像ファイルの画像解像度の比率に基づいて表示サイズを計算したり、表示部６のディスプレイ解像度を認識し、ディスプレイ解像度に応じて表示サイズを計算することができ、表示位置に関しては、例えば、先の画像ファイルの表示画像の中央や隅の一定の位置に後の画像ファイルの表示画像を表示したり、所定のルールに従って表示位置を変えたり、先の画像ファイルの表示画像を分析して画像の合成に適した位置（例えば、人物と背景が含まれる画像の場合の背景位置等）に設定することができる。また、後の画像ファイルの表示画像は先の画像ファイルの表示画像内に包含される必要はなく、少なくとも一部が重なるように合成されていればよい。
【００３０】
そして、ステップＳ１０７で、スライド表示順、スライド間隔、スライド効果、楽曲音声ファイルの指定情報や、先に表示される静止画像ファイル又は動画ファイルの画像上に、後に表示される静止画像ファイル又は動画ファイルを合成するための情報等を含む再生情報ファイルを作成し、ステップＳ１０８で静止画像ファイルと動画ファイルと再生情報ファイルと必要に応じて楽曲音声ファイルとを組とするコンピュータ機器２０用ファイル群を生成する。
【００３１】
この再生情報ファイルによって、コンピュータ機器２０では図６に示すように音楽付きスライドショーの動作が制御される。例えば、音楽付きスライドショーを開始すると、まず、１番目の静止画像ファイル（Ｓｔｉｌｌ１）が表示されると共に、選択された楽曲音声ファイル（ＢＧＭ１）が再生される。次にスライド間隔で指定された時間経過後、１番目の動画ファイル（Ｍｏｖｉｅ１）が表示されると共に動画ファイルに含まれる楽曲音声ファイルが再生される。その際、本実施例では、１番目の静止画像ファイルの画像を消去するのではなく、静止画像ファイルの画像をデータ記憶手段１１に記憶しておき、この静止画像ファイルの所定の表示位置に動画ファイルの画像を重ねて合成するようにアプリケーションが制御される。そして、Ｍｏｖｉｅ１の再生が終了したら、２番目の静止画像ファイル（Ｓｔｉｌｌ２）を表示すると共に再びＢＧＭ１を発音させる。この場合も同様に１番目の動画ファイルの画像をデータ記憶手段１１に記憶しておき、その上に２番目の静止画像ファイルの画像を重ねて合成するようにアプリケーションが制御されるが、１番目の動画ファイルよりも２番目の静止画像ファイルの方が表示サイズが大きければ、図に示すように２番目の静止画像ファイルのみが表示される。以下同様に静止画像ファイルと楽曲音声ファイルと動画ファイルを再生する。なお、図６では、動画ファイルの画像が静止画像ファイルの画像よりも小さい場合を示しているが表示サイズが逆転していてもよく、静止画像ファイルの後に別の静止画像ファイルが再生される場合や動画ファイルの後に別の動画ファイルが再生される場合も同様に画像を合成すればよい。
【００３２】
また、画像再生機器２１用のデータを作成する場合、同様に、ステップＳ１０３で画像解像度チェック手段９ｃを用いて、各々の静止画像ファイルや動画ファイルの画像解像度をチェックし、ステップＳ１０４で、合成情報作成手段９ｄを用いて、先に表示される静止画像ファイル又は動画ファイルの画像解像度と後に表示される静止画像ファイル又は動画ファイルの画像解像度とを参照して、後に表示される画像ファイルの表示サイズ及び表示位置を算出して画像を合成するための合成情報（合成フレーム情報）を作成する。
【００３３】
ここでも、表示サイズに関しては、例えば、各々の画像ファイルの画像解像度の比率に基づいて表示サイズを計算したり、表示部６のディスプレイ解像度を認識し、ディスプレイ解像度に応じて表示サイズを計算することができ、表示位置に関しては、例えば、先の画像ファイルの表示画像の中央や隅の一定の位置に後の画像ファイルの表示画像を表示したり、所定のルールに従って表示位置を変えたり、先の画像ファイルの表示画像を分析して画像の合成に適した位置に設定することができる。また、後の画像ファイルの表示画像は先の画像ファイルの表示画像内に包含される必要はなく、少なくとも一部が重なるように合成されていればよい。
【００３４】
その後、ステップＳ１０６で動画作成手段９ａを用い、作成した合成フレーム情報を参照して静止画像ファイルから動画ファイルを作成する。静止画像ファイルから動画ファイルを作成する方法は特に限定されないが、例えば、合成フレーム上の所定の位置に、先に表示される画像ファイルの画像と後に表示される画像ファイルの画像とを重ねて合成した静止画像ファイルを７２０ｐｉｘｅｌ×４８０ｐｉｘｅｌ程度のサイズに縮小し、１秒当たり３０フレーム程度の静止画像ファイルをスライド間隔で指定される時間だけ重ね合わせればよい。なお、画像再生機器２１によってはｊｐｅｇ等の静止画像ファイルを表示することができる場合もあり、その場合には再生画像ファイルから動画ファイルを作成しなくてもよい。
【００３５】
そして、ステップＳ１０７で、スライド表示順、スライド間隔、スライド効果、楽曲音声ファイルの指定情報等を含む再生情報ファイルを作成し、ステップＳ１０８で画像を合成した静止画像ファイルから作成した動画ファイル（又は静止画像ファイル）と再生情報ファイルと必要に応じて楽曲音声ファイルとを組とする画像再生機器２１用ファイル群を生成する。
【００３６】
このスライドショー再生情報ファイルによって、画像再生機器２１では図７に示すように音楽付きスライドショーが再生される。例えば、まず、１番目の静止画像ファイルに基づく動画ファイル（図６のＳｔｉｌｌ１と同じ）を表示すると共に、選択された楽曲音声ファイル（ＢＧＭ１）を再生し、スライド間隔で指定された時間経過後、１番目の静止画像ファイルの画像上に合成された１番目の動画ファイル（Ｍｏｖｉｅ１）を表示すると共に動画ファイルに含まれる楽曲音声ファイルを再生する。そして、Ｍｏｖｉｅ１の再生が終了したら、１番目の動画ファイルの画像上に合成された２番目の静止画像ファイルに基づく動画ファイル（図６のＳｔｉｌｌ２と同じ）を表示すると共にＢＧＭ１を再び発音させる。この場合、１番目の動画ファイルの画像よりも２番目の静止画像ファイルに基づく動画ファイルの画像の方が表示サイズが大きければ、図に示すように２番目の静止画像ファイルに基づく画像のみが表示される。以下同様に静止画像ファイルから作成された動画ファイルと楽曲音声ファイルと予め入力された動画ファイルとを再生する。
【００３７】
なお、上記説明は静止画像ファイルを用いて作成した動画ファイルや予め入力された動画ファイルを別々のファイルとし、再生情報ファイルでこれらを関連付けて音楽付きスライドショーとして再生する場合であるが、静止画像ファイルを再生する機能を備えた機器の場合は、再生情報ファイルで静止画像ファイルの表示を制御して同様の音楽付きスライドショーを再生してもよい。
【００３８】
次に、コンピュータ機器用のデータと画像再生機器用のデータの書き込みを行うが、コンピュータ機器２０では、データが出力用記録媒体１７のどの領域に書き込まれていても読み込むことができるが、画像再生機器２１の場合、データシーク順（すなわち、データを読み込む順序）が設定されており、データが記録される領域によっては画像再生機器２１で読み込むことができなくなってしまう。そこで、画像再生機器用のデータが所定の領域（一般的にはディスク型記録媒体の場合は内側）に記録されるように記録順を制御する。
【００３９】
具体的には、ステップＳ１０９で、データ転送手段１０は、データ作成手段９で作成された画像再生機器２１用の動画ファイル、楽曲音声ファイル、再生情報ファイル、各種アプリケーション等（以下、これらを総称して画像再生機器用ファイル群と呼ぶ。）を、記憶手段１２に予め設けられた書き込み用の所定のフォルダに転送する。すると、データ記録手段１０は、該フォルダから画像再生機器用ファイル群を読み出して、図９に示すように、出力用記録媒体装填部４に装填されたＣＤ−Ｒ、ＤＶＤ−Ｒ等の出力用記録媒体１７の内側（画像再生機器用ファイル群記録領域１７ａ）に記録する。なお、ここで、動画ファイルの画像形式としてＭＰＥＧ１を用いＣＤ−Ｒに記録すればＶｉｄｅｏ−ＣＤ形式の出力用記録媒体１７を作成することができ、動画ファイルの画像形式としてＭＰＥＧ２を用いＤＶＤ−Ｒに記録すればＤＶＤ−Ｖｉｄｅｏ形式の出力用記録媒体１７を作成することができ、どの形式のデータに変換し、どのような種類の出力用記録媒体１７に記録するかをユーザが選択できる構成としてもよい。
【００４０】
次に、ステップＳ１１０で、データ記録手段１０は、コンピュータ機器２０用のデータの記録を行う前に、画像再生機器２１で使用可能なデータの領域を区分するために一旦セッションをクローズする。
【００４１】
次に、ステップＳ１１１で、データ転送手段１０は、データ入力手段７で入力したコンピュータ機器２０用の静止画像ファイルや動画ファイル、楽曲音声ファイル、再生情報ファイル、静止画像ファイルを音楽付きスライドショーとして表示するためのアプリケーション等（以下、これらを総称してコンピュータ機器用ファイル群と呼ぶ。）を、記憶手段１２に予め設けられた書き込み用の所定のフォルダに転送する。すると、データ記録手段１０は、該フォルダからコンピュータ機器用ファイル群を読み出して、図９に示すように出力用記録媒体１７に先に記録された画像再生機器用ファイル群の外側（コンピュータ機器用ファイル群記録領域１７ｂ）に記録する。
【００４２】
上記手順でデータ及びプログラムが書き込まれた出力用記録媒体１７は、例えば、図８に示すようなファイルツリー構造となり、画像再生機器２１で再生するためのデータやアプリケーションなどが格納される画像再生機器用ファイル群格納部と、コンピュータ機器で再生するデータやアプリケーションなどが格納されるコンピュータ機器用ファイル群格納部とを含むように構成される。
【００４３】
上記画像再生機器用ファイル群格納部には、例えば、ＴＶ画面に静止画像データを表示するためのアプリケーションなどの各種アプリケーションを格納するフォルダ（ＣＤＩ）と、動画ファイルを格納するフォルダ（ＭＰＥＧＡＶ）と、静止画像ファイルや楽曲音声ファイルを格納するフォルダ（ＳＥＧＭＥＮＴ）と、データをＶｉｄｅｏ−ＣＤ形式用データ等として関連付けるファイルや再生情報ファイルを格納するフォルダ（ＶＣＤ）とが含まれている。
【００４４】
また、コンピュータ機器用ファイル格納部には、例えば、各種データを一括して管理するためのフォルダ（ＰＳＤ）と、スライドショープログラムなどのアプリケーションや再生情報ファイルが格納されるアプリケーション格納部（ＡＰＰＬ）と、デザインなどの専用コンテンツが格納される専用コンテンツ格納部（ＣＯＮＴＥＮＴＳ）とが含まれ、ＰＳＤの下位の階層には、ロット毎のデータを格納するサブフォルダ（ＰＲＤ０００１２００３０２０３００１等）が形成され、そのサブフォルダには静止画像ファイル（Ｓｔｉｌｌ１．ｊｐｇ、Ｓｔｉｌｌ２．ｊｐｇ等）と動画ファイル（Ｍｏｖｉｅ１．ｊｐｇ等）と静止画像ファイル表示時に再生される楽曲音声ファイル（ＢＧＭ１．ｗａｖ）等が格納される。
【００４５】
なお、図８のファイルツリー構成は例示であり、アプリケーションや専用コンテンツは必ずしも必要ではなく、コンピュータ機器２０に予めスライドショープログラムがインストールされている場合はスライドショープログラムは不要である。また、出力用記録媒体１７に記録されたデータをパソコンで認識し自動的に再生するための情報ファイルや実行ファイルを含めたり、ロット毎のデータを格納するフォルダに静止画像ファイルに対応するサムネイルデータを含める構成とすることもできる。
【００４６】
このように、本実施例の入力データ記録装置１では、再生情報ファイル生成プログラムにより、表示画像に繋がりを持たせてこれらを一体的に再生するためのスライドショーの再生情報ファイルが作成され、機器のデータシーク順を考慮して、静止画像ファイルや動画ファイル、楽曲音声ファイルと再生情報ファイルとが出力用記録媒体１７に記録されるため、ユーザは、出力用記録媒体１７を用いて、画像再生機器２１及びコンピュータ機器２０のどちらでも一体感のあるスライドショーを再生することができる。
【００４７】
【発明の効果】
以上説明したように、本発明によれば、表示画像が繋がりを持って再生されるスライドショーを、ＤＶＤプレーヤーやＤＶＤレコーダー等の画像再生機器、又はパソコン等のコンピュータ機器で再生することができる。
【００４８】
その理由は、静止画像ファイル及び動画ファイルの表示順やスライド間隔、スライド効果等のスライドショー設定情報、表示手段に先に表示される静止画像ファイル又は動画ファイルの画像と、後に表示される静止画像ファイル又は動画ファイルの画像との合成情報等を含む再生情報ファイルが生成され、この再生情報ファイルによって、コンピュータ機器では合成された画像が表示されるようにアプリケーションが制御され、画像再生機器では合成された画像が表示される画像ファイルが作成され、静止画像ファイルや動画ファイルと再生情報ファイルとが組になってコンピュータ機器及び画像再生機器の双方で読み出せるように記録媒体に記録されるからである。
【図面の簡単な説明】
【図１】本発明の一実施例に係る入力データ記録装置の構成を示す外観図である。
【図２】本発明の一実施例に係る入力データ記録装置の他の構成を示す外観図である。
【図３】本発明の一実施例に係る入力データ記録装置の機能を示すブロック図である。
【図４】本発明の一実施例に係る入力データ記録方法の手順を示すフローチャート図である。
【図５】本発明の一実施例に係る入力データ記録装置に表示される画面構成例（スライドショー編集画面）の構成を示す図である。
【図６】コンピュータ機器におけるスライドショーの表示方法を模式的に示す図である。
【図７】画像再生機器におけるスライドショーの表示方法を模式的に示す図である。
【図８】本発明の一実施例に係る入力データ記録装置で作成される出力用記録媒体のフォルダ構成を示す図である。
【図９】本発明の一実施例に係る入力データ記録装置で作成される出力用記録媒体のデータ記録領域を模式的に示す図である。
【符号の説明】
１  入力データ記録装置
２ａ  入力用メディア装填部
２ｂ  入力用記録媒体装填部
３  機器接続部
４  ネットワーク接続部
５  表示部
６  操作部
７  データ入力手段
８  データ編集手段
９  データ作成手段
９ａ  動画ファイル作成手段
９ｂ  再生情報ファイル作成手段
９ｃ  画像解像度チェック手段
９ｄ  合成情報作成手段
１０  データ転送手段
１１  データ記録手段
１２  記憶手段
１３  入力用メディア
１４  入力用記録媒体
１５  デジタルカメラ
１６  カメラ付き携帯電話機
１７  出力用記録媒体
１７ａ  画像再生機器用ファイル群記録領域
１７ｂ  コンピュータ機器用ファイル群記録領域
１８  サーバ
１９  通信ネットワーク
２０  コンピュータ機器
２１  画像再生機器
２２  スライドショー編集画面
２２ａ  画像表示欄
２２ｂ  スライドショー設定欄
２２ｃ  ＢＧＭ設定欄
２２ｄ  スライドショー記録指示欄
２３  サムネイル画像（静止画データ）
２４  サムネイル画像（動画ファイル）
【図１】
2004343472.tif 000003
【図２】
2004343472.tif 000004
【図３】
2004343472.tif 000005
【図４】
2004343472.tif 000006
【図５】
2004343472.tif 000007
【図６】
2004343472.tif 000008
【図７】
2004343472.tif 000009
【図８】
2004343472.tif 000010
【図９】
2004343472.tif 000011